【手続補正書】
【提出日】平成18年11月30日(2006.11.30)
【手続補正１】
【補正対象書類名】明細書
【補正対象項目名】特許請求の範囲
【補正方法】変更
【補正の内容】
【特許請求の範囲】
【請求項１】  純粋音声信号および非音声信号または混合音声信号を有するオーディオ信号を入力したコンピュータにおいて、前記オーディオ信号から純粋音声信号を検出する方法であって、前記コンピュータの処理装置は、
前記コンピュータに入力された前記オーディオ信号を離散的なオーディオ標本のストリームに変換し、
前記オーディオ信号からバレーパーセンテージ特徴を計算し、前記バレーパーセンテージは、前記ストリームにおいて、低エネルギー成分のオーディオ標本の割合を表し、前記低エネルギー成分は、所与のしきい値エネルギーレベルよりも低いエネルギーレベルを有し、
前記バレーパーセンテージ特徴をバレーパーセンテージしきい値と比較して前記オーディオ標本を純粋音声区分または非音声区分に分類し、
前記オーディオ信号の純粋音声として分類された部分と前記オーディオ信号の非音声として分類された部分との間の境界を決定することを特徴とする方法。
【請求項２】  前記オーディオ標本のストリームは、前記バレーパーセンテージ特徴を計算する前にフィルタリングされ、雑音を除去することを特徴とする請求項１に記載の方法。
【請求項３】  前記オーディオ信号の前記フィルタリングは、
前記オーディオ信号を、複数のエネルギーレベルを有するエネルギー成分に変換し、各々のエネルギーレベルは、前記オーディオ信号のオーディオ標本に対応して、
前記エネルギー成分の各々のエネルギーレベルに形態素クロージングフィルタを適用し、前記オーディオ信号のフィルタリングされたエネルギー成分を生成すことを特徴とする請求項２に記載の方法。
【請求項４】  前記オーディオ信号の前記エネルギー成分は、前記エネルギー成分の各々のエネルギーレベルに、前記オーディオ信号の対応するオーディオ標本の絶対値を割り当てることによって構築されることを特徴とする請求項３に記載の方法。
【請求項５】  請求項１に記載の各ステップを実行するための命令を有することを特徴とするコンピュータ読み取り可能な記録媒体。
【請求項６】  純粋音声信号および非音声信号または混合音声信号を有するオーディオ信号を入力したコンピュータにおいて、前記オーディオ信号から純粋音声信号を検出する方法であって、前記コンピュータの処理装置は、
(a) 前記コンピュータに入力された前記オーディオ信号をフィルタリングして雑音を除去することであって、前記フィルタリングは、
(a1) 前記オーディオ信号を、複数のエネルギーレベルを有するエネルギー成分に変換し、各々のエネルギーレベルは、前記オーディオ信号のオーディオ標本に対応して、
(a2) 前記エネルギー成分の各々のエネルギーレベルに形態素クロージングフィルタを適用し、前記オーディオ信号のフィルタリングされたエネルギー成分を生成し、前記形態素クロージングフィルタの前記適用は、
(a21) 複数のエネルギーレベルにわたる第１のウィンドウを配置し、第１のエネルギーレベルは、前記第１のウィンドウの中間点の近くに配置されて、
(a22) 前記第１のエネルギーレベルを、前記第１のウィンドウを通して見える周囲のエネルギーレベルの最大エネルギーレベルに拡張し、
(a23) 複数のエネルギーレベルにわたる前記第１のウィンドウを、次のエネルギーレベルに再配置し、前記次の連続したエネルギーレベルは、前記第１のウィンドウの中間点の近くに配置されて、
(a24) 前記エネルギー成分の前記エネルギーレベルが全て拡張されるまで、前記拡張することおよび再配置することを繰り返し実行し、
(a25) 前記第１のエネルギーレベルにわたる前記第１のウィンドウを再配置し、
(a26) 前記第１のエネルギーレベルを、前記第１のウィンドウを通して見える周囲のエネルギーレベルの最小エネルギーレベルに侵食し、
(a27) 複数のエネルギーレベルにわたる前記第１のウィンドウを、次の連続したエネルギーレベルに再配置し、
(a28) 前記エネルギー成分の全ての前記エネルギーレベルが侵食されるまで、前記侵食することおよび再配置することを繰り返し実行し、その結果、前記エネルギー成分のフィルタリングされた複数のエネルギーレベルを得ることを含み、
(b) 前記オーディオ信号からバレーパーセンテージ特徴を計算し、
(c) 前記バレーパーセンテージ特徴に基づいて前記オーディオ信号を純粋音声区分または非音声区分に分類し、
(d) 前記オーディオ信号の純粋音声として分類された部分と前記オーディオ信号の非音声として分類された部分との間の境界を決定することを特徴とする方法。
【請求項７】  前記第１のウィンドウは、トレーニング用オーディオ信号の純粋音声部分と非音声部分の既知の境界と、パラメータ空間にわたって決定されたテスト境界との差を最小化することによって選択された持続時間であることを特徴とする請求項６に記載の方法。
【請求項８】  前記バレーパーセンテージ特徴の計算は、
フィルタリングされた複数のエネルギーレベルにわたる第２のウィンドウを配置し、第１のフィルタリングされたエネルギーレベルは、前記第２のウィンドウの中間点の近くに配置されて、
前記第２のウィンドウを通して見える周囲のフィルタリングされたエネルギーレベルのしきい値エネルギーレベルよりも低いフィルタリングされたエネルギーレベルの数の、前記第２のウィンドウを通して見えるフィルタリングされたエネルギーレベルの総数に対するパーセンテージを、前記バレーパーセンテージ特徴に割り当て、
複数のフィルタリングされたエネルギーレベルにわたる前記第２のウィンドウを、次のフィルタリングされたエネルギーレベルに再配置し、前記次の連続したフィルタリングされたエネルギーレベルは、前記第２のウィンドウの中間点の近くに配置されて、
前記エネルギー成分の全ての前記フィルタリングされたエネルギーレベルが割り当てられるまで、前記割当てることおよび再配置することを繰り返し実行し、その結果、前記オーディオ信号の前記バレーパーセンテージ特徴を得ることを特徴とする請求項６に記載の方法。
【請求項９】  前記しきい値エネルギーレベルは、トレーニング用オーディオ信号の純粋音声部分と非音声部分の既知の境界と、パラメータ空間にわたって決定されたテスト境界との差を最小化することによって選択されることを特徴とする請求項８に記載の方法。
【請求項１０】  前記第２のウィンドウは、トレーニング用オーディオ信号の純粋音声部分と非音声部分の既知の境界と、パラメータ空間にわたって決定されたテスト境界との差を最小化することによって選択された持続時間であることを特徴とする請求項８に記載の方法。
【請求項１１】  非音声に対する純粋音声の前記分類は、前記オーディオ信号の各々のオーディオ標本に対応する音声決定マスクに、
対応するバレーパーセンテージ特徴が所定のしきい値バレーパーセンテージに等しいかまたは小さいときに、非音声または混合音声信号の存在を意味する０を、または、
対応するバレーパーセンテージ特徴が前記所定のしきい値バレーパーセンテージよりも大きいときに、純粋音声の存在を意味する１のいずれかの２値を割り当てることによって決定されることを特徴とする請求項８に記載の方法。
【請求項１２】  前記純粋音声分類と非音声分類の間の境界は、
独立した音声決定マスクの値を捨て、前記独立した値の近隣の値は、反対の値を有しており、
２値１に等しい前記音声決定マスクの残りの値と、２値０に等しい前記音声決定マスクの残りの値との間の境界をマークすることによって決定されることを特徴とする請求項１１に記載の方法。
【請求項１３】  前記純粋音声区分と非音声区分の間の境界は、形態素オープニングフィルタおよび形態素クロージングフィルタを音声決定マスクに適用し、連続する２値１を有するフィルタリングされた音声決定マスク部分と連続する２値０を有するフィルタリングされた音声決定マスク部分との間の境界をマークすることによって決定されることを特徴とする請求項１１に記載の方法。
【請求項１４】  前記形態素オープニングフィルタの前記適用は、
前記音声決定マスク中の値の連続したストリームにわたる第３のウィンドウを配置し、第１の値は、前記第３のウィンドウの中間点の近くに配置されて、
前記第１の値を、前記第３のウィンドウを通して見える周囲の値の最小の２値に侵食し、
前記音声決定マスク中の値の連続したストリームにわたる前記第３のウィンドウを次の連続する値に再配置し、前記次の連続する値は、前記第３のウィンドウの中間点の近くに配置されて、
前記オーディオ信号の各々のオーディオ標本に対応する音声決定マスクの値を全て侵食されるまで、前記侵食することおよび再配置することを繰り返し実行し、
侵食された値の連続するストリームにわたる前記第３のウィンドウを配置し、第１の侵食された値は、前記第３のウィンドウの中間点の近くに配置され、
前記侵食された第１の値を、前記第３のウィンドウを通して見える周囲の侵食された値の最大の２値に拡張し、
前記音声決定マスク中の侵食された値の連続するストリームにわたる前記第３のウィンドウを次の連続する値に配置し、前記次の連続する値は、前記第３のウィンドウの中間点の近くに配置されて、
前記オーディオ信号の各々のオーディオ標本に対応する音声決定マスク中の全ての値が拡張されるまで、前記拡張することおよび再配置することを繰り返し実行し、その結果、前記オーディオ信号に対応する開かれた音声決定マスクを得ることを特徴とする請求項１３に記載の方法。
【請求項１５】  前記形態素クロージングフィルタの前記適用は、
前記開かれた音声決定マスク中の値の連続するストリームにわたる第４のウィンドウを配置し、第１の開かれた値は、前記第４のウィンドウの中間点の近くに配置されて、
前記第１の開かれた値を、前記第４のウィンドウを通して見える周囲の開かれた値の最大の２値に拡張し、
前記開かれた音声決定マスク中の値の連続するストリームにわたる前記第４のウィンドウを、次の連続する開かれた値に再配置し、前記次の連続する開かれた値は、前記第４のウィンドウの中間点の近くに配置されて、
前記オーディオ信号の各々のオーディオ標本に対応する開かれた音声決定マスク中の全ての値が拡張されるまで、前記拡張することおよび再配置することを繰り返し実行し、その結果、前記オーディオ信号に対応する拡張された開かれた音声決定マスクを得て、
前記拡張された開かれた音声決定マスク中の値の連続するストリームにわたる前記第４のウィンドウを配置し、第１の拡張された開かれた値は、前記第４のウィンドウの中間点の近くに配置されて、
前記第１の拡張された開かれた値を、前記第４のウィンドウを通して見える拡張された開かれた周囲の値の最小の２値０に侵食し、
前記拡張された開かれた値の連続するストリームにわたる前記第４のウィンドウを再配置し、前記次の連続する拡張された開かれた値は、前記第４のウィンドウの中間点の近くに配置されて、
前記オーディオ信号の各々のオーディオ標本に対応する拡張された開かれた音声決定マスク中の全ての値が侵食されるまで、前記侵食することおよび再配置することを繰り返し実行し、その結果、前記オーディオ信号に対応する閉じた音声決定マスクを得ることを特徴とする請求項１４に記載の方法。
【請求項１６】  オーディオ信号の音声検出を実行するソフトウェアが記憶されたコンピュータ読み取り可能な記録媒体であって、前記ソフトウェアは、コンピュータによって実行されたときに、
(a) 純粋音声信号および非音声信号または混合音声信号を有するオーディオ信号から純粋音声信号を検出するための複数の予め定めたパラメータを記憶するステップと、
(b) 前記オーディオ信号をきれいにして、雑音を除去するステップであって、前記オーディオ信号は、前記予め定めたパラメータの１つに等しいサイズを有する第１のウィンドウ中に複数のオーディオ標本を含むステップと、
(c) 前記きれいなオーディオ信号からバレーパーセンテージを計算するステップであって、前記バレーパーセンテージは、前記予め定めたパラメータの別の１つに等しいサイズを有する第２のウィンドウにおいて複数のオーディオ標本から計算され、前記バレーパーセンテージは、オーディオ標本において、前記第２のウィンドウの全てのオーディオ標本の数と比較したしきい値エネルギーレベルよりも低いエネルギーレベルを有する前記第２のウィンドウにおけるオーディオ標本の数で表すステップと、
(d) 前記予め定めたパラメータの別の１つに基づいて、前記バレーパーセンテージの値を、前記純粋音声区分または非音声区分に分類するステップと、
(e) 第３および第４のウィンドウから独立した純粋音声および非音声区分を排除することにより、複数の純粋音声区分と非音声区分との間の境界を決定するステップであって、前記第３および第４のウィンドウは、前記予め定めたパラメータの別の２つに等しいサイズを有するステップと
を実行することを特徴とするコンピュータ読み取り可能な記録媒体。
【請求項１７】  前記オーディオ信号をきれいにするステップは、
前記第１のウィンドウ中の各々のオーディオ標本を、対応するエネルギーレベルに変換するステップであって、前記エネルギーレベルは、エネルギー成分を含むステップと、
前記エネルギー成分にクロージングフィルタを適用し、その結果、きれいなオーディオ信号を得るステップであって、前記きれいなオーディオ信号は、純粋音声部分と非音声部分との間の明瞭な境界を維持し、かつ、より少ない雑音を有するステップと
を含むことを特徴とする請求項１６に記載のコンピュータ読み取り可能な記録媒体。
【請求項１８】  前記第１のウィンドウのサイズは、トレーニング用オーディオ信号の純粋音声部分と非音声部分の既知の境界と、パラメータ空間にわたって決定されたテスト境界との差を最小化することによって選択されることを特徴とする請求項１６に記載のコンピュータ読み取り可能な記録媒体。
【請求項１９】  オーディオ信号の音声検出を実行するソフトウェアが記憶されたコンピュータ読み取り可能な記録媒体であって、前記ソフトウェアは、コンピュータによって実行されたときに、
(a) 純粋音声信号および非音声信号または混合音声信号を有するオーディオ信号から純粋音声信号を検出するための複数の予め定めたパラメータを記憶するステップと、
(b) 前記オーディオ信号をきれいにして、雑音を除去するステップであって、前記オーディオ信号は、前記予め定めたパラメータの１つに等しいサイズを有する第１のウィンドウ中に複数のオーディオ標本を含み、
(b1) 前記第１のウィンドウ中の各々のオーディオ標本を、対応するエネルギーレベルに変換するサブステップであって、前記エネルギーレベルは、エネルギー成分を含むサブステップと、
(b2) 前記エネルギー成分にクロージングフィルタを適用し、その結果、きれいなオーディオ信号を得るサブステップであって、前記きれいなオーディオ信号は、純粋音声部分と非音声部分との間の明瞭な境界を維持し、かつ、より少ない雑音を有するサブステップとを含むステップと、
(c) 前記きれいなオーディオ信号からバレーパーセンテージを計算するステップであって、前記バレーパーセンテージは、前記予め定めたパラメータの別の１つに等しいサイズを有する第２のウィンドウにおいて複数のオーディオ標本から計算され、前記バレーパーセンテージの前記計算は、
(c1) 前記所定のパラメータの別の１つに基づいて、しきい値エネルギーレベルよりも低いエネルギーレベルを有する前記第２のウィンドウ中のオーディオ標本の数を決定するサブステップと、
(c2) しきい値エネルギーレベルよりも低いエネルギーレベルを有する前記第２のウィンドウ中のオーディオ標本の数の、前記第２のウィンドウ中のオーディオ標本の総数に対するパーセンテージに等しいバレーパーセンテージをセットするサブステップとを含むステップと
(d) 前記予め定めたパラメータの別の１つに基づいて、前記バレーパーセンテージの値を、前記純粋音声区分または非音声区分に分類するステップと、
(e) 第３および第４のウィンドウから独立した純粋音声および非音声区分を排除することにより、複数の純粋音声区分と非音声区分との間の境界を決定するステップであって、前記第３および第４のウィンドウは、前記予め定めたパラメータの別の２つに等しいサイズを有するステップと
を実行することを特徴とするコンピュータ読み取り可能な記録媒体。
【請求項２０】  前記第２のウィンドウのサイズは、トレーニング用オーディオ信号の純粋音声部分と非音声部分の既知の境界と、パラメータ空間にわたって決定されたテスト境界との差を最小化することによって選択されることを特徴とする請求項１９に記載のコンピュータ読み取り可能な記録媒体。
【請求項２１】  前記しきい値エネルギーレベルは、
前記第２のウィンドウ中の最大エネルギーレベルを決定するステップと、
前記最大エネルギーレベルに、前記予め定めたパラメータの別の１つに等しい値を有する分数を乗じるステップと
を実行することによって計算されることを特徴とする請求項１９に記載のコンピュータ読み取り可能な記録媒体。
【請求項２２】  前記分数は、トレーニング用オーディオ信号の純粋音声部分と非音声部分の既知の境界と、パラメータ空間にわたって決定されたテスト境界との差を最小化することによって選択されることを特徴とする請求項２１に記載のコンピュータ読み取り可能な記録媒体。
【請求項２３】  オーディオ信号の音声検出を実行するソフトウェアが記憶されたコンピュータ読み取り可能な記録媒体であって、前記ソフトウェアは、コンピュータによって実行されたときに、
(a) 純粋音声信号および非音声信号または混合音声信号を有するオーディオ信号から純粋音声信号を検出するための複数の予め定めたパラメータを記憶するステップと、
(b) 前記オーディオ信号をきれいにして、雑音を除去するステップであって、前記オーディオ信号は、前記予め定めたパラメータの１つに等しいサイズを有する第１のウィンドウ中に複数のオーディオ標本を含むステップと、
(c) 前記きれいなオーディオ信号からバレーパーセンテージを計算するステップであって、前記バレーパーセンテージは、前記予め定めたパラメータの別の１つに等しいサイズを有する第２のウィンドウにおいて複数のオーディオ標本から計算されるステップと、
(d) 前記予め定めたパラメータの別の１つに基づいて、前記バレーパーセンテージの値を、前記純粋音声区分または非音声区分に分類するステップであって、
(d1) 前記バレーパーセンテージの値を、しきい値バレーパーセンテージと比較するサブステップであって、前記しきい値バレーパーセンテージは、前記予め定めたパラメータの別の１つに等しい値を有するサブステップと、
(d2) 前記バレーパーセンテージの値に対応する２値決定マスクの値を、
前記バレーパーセンテージが前記しきい値バレーパーセンテージに等しいか、または小さい場合には０の値に、
前記バレーパーセンテージが前記しきい値バレーパーセンテージよりも大きい場合には１の値にセットするサブステップとを含むステップと、
(e) 第３および第４のウィンドウから独立した純粋音声および非音声区分を排除することにより、複数の純粋音声区分と非音声区分との間の境界を決定するステップであって、前記第３および第４のウィンドウは、前記予め定めたパラメータの別の２つに等しいサイズを有するステップと
を実行することを特徴とするコンピュータ読み取り可能な記録媒体。
【請求項２４】  前記所定のしきいバレーパーセンテージの値は、トレーニング用オーディオ信号の純粋音声部分と非音声部分の既知の境界と、パラメータ空間にわたって決定されたテスト境界との差を最小化することによって選択されることを特徴とする請求項２３に記載のコンピュータ読み取り可能な記録媒体。
【請求項２５】  前記第３のウィンドウのサイズは、トレーニング用オーディオ信号の純粋音声部分と非音声部分の既知の境界と、パラメータ空間にわたって決定されたテスト境界との差を最小化することによって選択された持続時間であることを特徴とする請求項２４に記載のコンピュータ読み取り可能な記録媒体。
【請求項２６】  前記第４のウィンドウのサイズは、トレーニング用オーディオ信号の純粋音声部分と非音声部分の既知の境界と、パラメータ空間にわたって決定されたテスト境界との差を最小化することによって選択された持続時間であることを特徴とする請求項２４に記載のコンピュータ読み取り可能な記録媒体。
【請求項２７】  オーディオ信号の音声検出を実行するソフトウェアが記憶されたコンピュータ読み取り可能な記録媒体であって、前記ソフトウェアは、コンピュータによって実行されたときに、
(a) 純粋音声信号および非音声信号または混合音声信号を有するオーディオ信号から純粋音声信号を検出するための複数の予め定めたパラメータを記憶するステップと、
(b) 前記オーディオ信号をきれいにして、雑音を除去するステップであって、前記オーディオ信号は、前記予め定めたパラメータの１つに等しいサイズを有する第１のウィンドウ中に複数のオーディオ標本を含み、
(b1) 前記第１のウィンドウ中の各々のオーディオ標本を、対応するエネルギーレベルに変換するサブステップであって、前記エネルギーレベルは、エネルギー成分を含むサブステップと、
(b2) 前記エネルギー成分にクロージングフィルタを適用し、その結果、きれいなオーディオ信号を得るサブステップであって、前記きれいなオーディオ信号は、純粋音声部分と非音声部分との間の明瞭な境界を維持し、かつ、より少ない雑音を有し、前記適用は、
(b21) 前記第１のウィンドウ中の前記エネルギー成分の前記エネルギーレベルを拡張し、
(b22) 前記第１のウィンドウ中の前記エネルギー成分の前記拡張されたエネルギーレベルを侵食するサブステップとを含むステップと、
(c) 前記きれいなオーディオ信号からバレーパーセンテージを計算するステップであって、前記バレーパーセンテージは、前記予め定めたパラメータの別の１つに等しいサイズを有する第２のウィンドウにおいて複数のオーディオ標本から計算されるステップと、
(d) 前記予め定めたパラメータの別の１つに基づいて、前記バレーパーセンテージの値を、前記純粋音声区分または非音声区分に分類するステップと、
(e) 第３および第４のウィンドウから独立した純粋音声および非音声区分を排除することにより、複数の純粋音声区分と非音声区分との間の境界を決定するステップであって、前記第３および第４のウィンドウは、前記予め定めたパラメータの別の２つに等しいサイズを有するステップと
を実行することを特徴とするコンピュータ読み取り可能な記録媒体。
【請求項２８】  オーディオ信号の音声検出を実行するソフトウェアが記憶されたコンピュータ読み取り可能な記録媒体であって、前記ソフトウェアは、コンピュータによって実行されたときに、
(a) 純粋音声信号および非音声信号または混合音声信号を有するオーディオ信号から純粋音声信号を検出するための複数の予め定めたパラメータを記憶するステップと、
(b) 前記オーディオ信号をきれいにして、雑音を除去するステップであって、前記オーディオ信号は、前記予め定めたパラメータの１つに等しいサイズを有する第１のウィンドウ中に複数のオーディオ標本を含むステップと、
(c) 前記きれいなオーディオ信号からバレーパーセンテージを計算するステップであって、前記バレーパーセンテージは、前記予め定めたパラメータの別の１つに等しいサイズを有する第２のウィンドウにおいて複数のオーディオ標本から計算されるステップと、
(d) 前記予め定めたパラメータの別の１つに基づいて、前記バレーパーセンテージの値を、前記純粋音声区分または非音声区分に分類するステップと、
(e) 第３および第４のウィンドウから独立した純粋音声および非音声区分を排除することにより、複数の純粋音声区分と非音声区分との間の境界を決定するステップであって、前記第３および第４のウィンドウは、前記予め定めたパラメータの別の２つに等しいサイズを有し、
(e1) 前記第３のウィンドウ中の前記複数の純粋音声区分および非音声区分に、形態素オープニングフィルタを適用するサブステップと、
(e2) 前記第４のウィンドウ中の前記複数の純粋音声部分および非音声分類に、形態素クロージングフィルタを適用するサブステップとを含むステップと
を実行することを特徴とするコンピュータ読み取り可能な記録媒体。
【請求項２９】  音声オーディオ標本と非音声オーディオ標本の混合物を有するオーディオ信号を入力したコンピュータにおいて、前記オーディオ信号から音声検出特徴を抽出する方法であって、前記コンピュータの処理装置は、
オーディオ信号における複数のオーディオ標本の各々についてエネルギーレベルを決定し、
前記複数のオーディオ標本の各々について、
複数の周囲オーディオ標本の範囲内における最大エネルギーレベルを決定し、
前記最大エネルギーレベルの分数としてしきい値エネルギーレベルを計算し、
前記しきい値エネルギーレベルよりも低いエネルギーレベルを有する複数の周囲オーディオ標本のパーセンテージに基づいて音声検出特徴をセットすること
によって、音声検出特徴を抽出することを特徴とする方法。
【請求項３０】  抽出前に、前記オーディオ信号をフィルタリングして、前記オーディオ信号中の境界の明瞭さを維持しつつ前記オーディオ信号をきれいにすることを特徴とする請求項２９に記載の方法。
【請求項３１】  抽出後に、抽出された音声検出特徴と音声検出特徴しきい値との比較に基づいて、前記オーディオ信号の前記複数のオーディオ標本を音声または非音声に分類することを特徴とする請求項２９に記載の方法。
【請求項３２】  音声オーディオ部分と非音声オーディオ部分の混合物を有するオーディオ信号の音声検出特徴を抽出するためのソフトウェアが記憶されたコンピュータ読み取り可能な記録媒体であって、前記ソフトウェアは、
オーディオ信号中における複数のオーディオ標本の各々についてエネルギーレベルを決定する命令と、
前記オーディオ信号をフィルタリングして、前記オーディオ信号中の境界の明瞭さを維持しつつ前記オーディオ信号をきれいにする命令と、
前記フィルタリングされたオーディオ信号の複数の部分の各々について、音声検出特徴を抽出する命令であって、各々の音声検出特徴は、所与のしきい値エネルギーレベルよりも低いエネルギーレベルを有する前記フィルタリングされたオーディオ信号の低エネルギー成分のパーセンテージに基づく命令と
を備えることを特徴とするコンピュータ読み取り可能な記録媒体。
【請求項３３】  前記フィルタリングは、拡張演算子およびこれに続く侵食演算子を含むクロージングフィルタを使用することを特徴とする請求項３２に記載のコンピュータ読み取り可能な記録媒体。
【請求項３４】  音声オーディオ部分と非音声オーディオ部分の混合物を有するオーディオ信号を入力したコンピュータにおいて、前記オーディオ信号から音声検出特徴を抽出する方法であって、前記コンピュータの処理装置は、
オーディオ信号における複数のオーディオ標本の各々についてエネルギーレベルを決定し、
前記オーディオ信号の複数の部分の各々について、音声検出特徴を抽出し、各々の音声検出特徴は、所与のしきい値エネルギーレベルよりも低いエネルギーレベルを有する前記オーディオ信号の低エネルギー成分のパーセンテージに基づいて、
抽出された前記部分の音声検出特徴と音声検出特徴しきい値との比較に基づいて、前記複数の部分の各々を音声または非音声に分類し、
前記分類をフィルタリングして独立した分類を除去し、独立した分類は、周囲の分類の支配的な値とは異なる値を有し、前記フィルタリングは、１または複数の形態素フィルタを使用することを特徴とする方法。
【請求項３５】  前記フィルタリングは、オープニングフィルタ、続いてクロージングフィルタを使用することを特徴とする請求項３４に記載の方法。
【手続補正２】
【補正対象書類名】明細書
【補正対象項目名】００５１
【補正方法】変更
【補正の内容】
【００５１】
図４は、ＶＰ（ｔ）１１８からの音声決定マスクＢ（ｔ）１２２の構築を詳細に示すブロック図である。具体的には、決定プロセッサコンポーネント１２０は、時刻ｔｎにおけるそれぞれのＶＰ値ＶＰ（ｔｎ）３４５をしきい値バレーパーセンテージβ４１０と比較する２値分類ステップ４２０を実行する。時刻ｔｎにおけるＶＰ値ＶＰ（ｔｎ）３４５の１つが、しきい値バレーパーセンテージβ４１０よりも小さいか、またはこれに等しいとき、対応する時刻ｔｎにおける音声決定マスクＢ（ｔｎ）４３０の値が、２値「０」にセットされる。時刻ｔｎにおけるＶＰ値ＶＰ（ｔｎ）３４５の１つが、しきい値バレーパーセンテージβ４１０よりも大きいときには、対応する時刻ｔｎにおける音声決定マスクＢ（ｔｎ）４３０の値が、２値「１」にセットされる。